(57)【特許請求の範囲】
【請求項１】
内容物を収容する内容器と、この内容器を内装する外容器との組合せになる内外二重の容器本体を備え、この容器本体の開口部分に気密状態で取り付けられ、容器本体の胴部におけるスクイズにて内容器の内容物を押し出しその歯先でもって排出する櫛部を有する櫛付き容器であって、
前記容器に、内容器の開口部分に連通する内容物排出用の開口を有し内容器の開口部分先端面で櫛部との挟持下に固定保持する中間部材を設け、
この中間部材に、スクイズによる外圧の付加時にのみ内容物排出用の開口を開放する第１のチェック弁と、外圧の解除によって開放され内容器と外容器の相互間に空気を導入して容器本体を外圧付加前の外観形状に復原する第２のチェック弁を配設してなり、
前記中間部材と前記櫛部との相互間に、前記櫛部に設けられた貫通孔及び前記第２のチェック弁を通して流入させた空気を通過させて前記内容器と前記外容器との相互間に該空気を導入する通路を設けた、ことを特徴とする櫛付き容器。
【請求項２】
内容物を収容する内容器と、この内容器を内装する外容器との組合せになる内外二重の容器本体を備え、この容器本体の開口部分に気密状態で取り付けられ、容器本体の胴部におけるスクイズにて内容器の内容物を押し出しその歯先でもって排出する櫛部を有する櫛付き容器であって、
前記容器に、内容器の開口部分に連通する内容物排出用の開口を有し内容器の開口部分先端面で櫛部との挟持下に固定保持する中間部材を設け、
この中間部材に、スクイズによる外圧の付加時にのみ内容物排出用の開口を開放する第１のチェック弁と、外圧の解除によって開放され内容器と外容器の相互間に空気を導入して容器本体を外圧付加前の外観形状に復原する第２のチェック弁を配設してなり、
前記中間部材と前記櫛部との相互間及び前記内容器と前記外容器との相互間にそれぞれ、狭幅の凹部によって形成され、前記櫛部に設けられた貫通孔及び前記第２のチェック弁を通して流入させた空気を通過させて前記内容器と前記外容器との相互間へ該空気を導入する通路を設けたことを特徴とする櫛付き容器。
【請求項３】
前記第１のチェック弁及び前記第２のチェック弁は、何れも前記中間部材への着脱を可能とするものである、請求項１又は２記載の櫛付き容器。
【請求項４】
前記内容器は、リフィル容器である請求項１〜３の何れかに記載の櫛付き容器。
【発明の詳細な説明】
【０００１】
【発明の属する技術分野】
本発明は、整髪料や染毛剤あるいは育毛剤等の内容物を収容するのに好適なスクイズタイプの櫛付き容器に関し、その内部構造につき工夫を加えることにより、構成部材の共有化を図り用途の異なる多種の製品に幅広く適用しようとするものである。
【０００２】
【従来の技術】
染毛剤等を収容する櫛付きの容器は、需要者の使用姿勢にかかわりなく内容物を確実にしかも迅速に注出することができるように、スクイズタイプの容器が使用されている。
【０００３】
この種の容器は、通常、内容物を収容する内容器と、この内容器を内装する外容器とを組み合わせた内外二重の容器本体からなり、内容器の開口部分及び内外容器の相互間にチェック弁が配置されている。そして、容器本体の胴部を把持した状態で外圧を加えて内容物を注出する場合には、内容器の開口部分のチェック弁のみが開放され、外圧の付加を解除することにより内容器と外容器の相互間に配置されたチェック弁のみが開放され、そこを通して外気が流入して容器本体の外観形状を初期状態に復原するようになっている。この点に関する先行技術としては、例えば、実開平７−２２９５１号公報が参照される。
【０００４】
【発明が解決しようとする課題】
ところで、かかる容器は、その構造はさほどの複雑化は伴わないものの、チェック弁等の構成部材に関しては他の製品容器に適用し得ることが可能であるにもかかわらず容器との一体化を図るなどしてその容器に応じた設計がなされているのが現状である。
【０００５】
本発明の課題は、構成部材の共有化を図り、容器の製造効率を著しく改善することができる新規な櫛付き容器を提案するところにある。
【０００６】
【課題を解決するための手段】
本発明は、内容物を収容する内容器と、この内容器を内装する外容器との組合せになる内外二重の容器本体を備え、この容器本体の開口部分に気密状態で取り付けられ、容器本体の胴部におけるスクイズにて内容器の内容物を押し出しその歯先でもって排出する櫛部を有する櫛付き容器であって、
前記容器に、内容器の開口部分に連通する内容物排出用の開口を有し内容器の開口部分先端面で櫛部との挟持下に固定保持する中間部材を設け、
この中間部材に、スクイズによる外圧の付与時にのみ内容物排出用の開口を開放する第１のチェック弁と、外圧の解除にて開放し内容器と外容器の相互間に空気を導入して容器本体を外圧の付与前の外観形状に復原する第２のチェック弁を配設してなり、
前記中間部材と前記櫛部との相互間に、前記櫛部に設けられた貫通孔及び前記第２のチェック弁を通して流入させた空気を通過させて前記内容器と前記外容器との相互間に該空気を導入する通路を設けた、ことを特徴とする櫛付き容器である。
【０００７】
また、本発明は、内容物を収容する内容器と、この内容器を内装する外容器との組合せになる内外二重の容器本体を備え、この容器本体の開口部分に気密状態で取り付けられ、容器本体の胴部におけるスクイズにて内容器の内容物を押し出しその歯先でもって排出する櫛部を有する櫛付き容器であって、
前記容器に、内容器の開口部分に連通する内容物排出用の開口を有し内容器の開口部分先端面で櫛部との挟持下に固定保持する中間部材を設け、
この中間部材に、スクイズによる外圧の付加時にのみ内容物排出用の開口を開放する第１のチェック弁と、外圧の解除によって開放され内容器と外容器の相互間に空気を導入して容器本体を外圧付加前の外観形状に復原する第２のチェック弁を配設してなり、
前記中間部材と前記櫛部との相互間及び前記内容器と前記外容器との相互間にそれぞれ、狭幅の凹部によって形成され、前記櫛部に設けられた貫通孔及び前記第２のチェック弁を通して流入させた空気を通過させて前記内容器と前記外容器との相互間へ該空気を導入する通路を設けたことを特徴とする櫛付き容器であり、第１のチェック弁および第２のチェック弁は、何れも中間部材への着脱を可能とするものが好適であり、内容器は、リフィル容器とすることができる。
【０００８】
【発明の実施の形態】
本発明の容器は、櫛部と容器本体の相互間にそれらとは別体になる第１のチェック弁、第２のチェック弁を有する中間部材を配置するものであり、この中間部材は、容器本体の開口部分のサイズよりも小さいものである限り他の用途に適用される容器へも取り付けることができる。
【０００９】
【実施例】
以下、図面を参照して本発明をより具体的に説明する。
図１は本発明に従う櫛付き容器の構成を一部断面にして示したものである。
【００１０】
図において１は内容物Ｍを収容する内容器、２はこの内容器１を内装する外容器である。この容器は、外容器２の開口部分２ａの先端面に内容器１の開口部分１ａが載置されていて図示の如く、内容器１と外容器２を組み合わせた内外二重の容器本体からなっている。
【００１１】
また、３は容器本体の外容器２の開口部分２ａにおいて例えばねじ止め固定することができる櫛部である。外容器２の開口部分２ａにはその周りに沿う環状凸部ｔを設けることができ、櫛部３を外容器２の開口部分２にねじ止めする際、その相互間は環状凸部ｔによって気密状態に保持される。
【００１２】
櫛部３とこの櫛部３の先端にて配列される複数の歯（櫛歯）３ａにはその要部を拡大して図２に示すように内容物を通すための通路ｒが設けれており、その通路ｒは歯３ａの先端部分の開口３ｂにつながっている。
【００１３】
また、４は中間部材である。この中間部材４は内容器１の開口部分１ａに連通する内容物排出用の開口４ａを有している。そして、この中間部材４は内容器１の開口部分１ａの先端面で櫛部３との挟持下に気密状態を維持して固定保持される。
【００１４】
５は第１のチェック弁である。このチェック弁５は中間部材４に着脱可能に保持することができるものであり、容器本体の胴部のスクイズにおいて、外圧が付与された時にのみ開（図３の仮想線）となり内容物排出用の開口４ａが開放される。
【００１５】
６は第２のチェック弁である。このチェック弁６はチェック弁５と同様に中間部材４に着脱可能に保持されるものである。このチェック弁６は容器本体の胴部のスクイズにおいて、外圧が取り除かれた時（内容器と外容器の相互間は減圧状態にある。）に開（図３の仮想線）となり、櫛部３に設けられた貫通孔３ｃ、櫛部３と中間部材４の相互間に局所的に設けられた通路７、内容器１と外容器２の相互間に設けられた通路８をそれぞれ図中の矢印に従って内容器１と外容器２の間に空気を流入させ外圧の付加前の外観形状に復原する。そして、９は第２のチェック弁６を中間部材４に強固に保持する場合に用いることができる固定補助部材である。
【００１６】
図３は第１のチェック弁５、第２のチェック弁６の配置状況を拡大して示したものであり、図４は第１のチェック弁５のみを取り出してその平面を、図５は第２のチェック弁６のみを取り出してその平面をそれぞれ示したものである。
【００１７】
図６は中間部材４の平面を示したものであり、この中間部材４はその周りに等間隔で局所的な凹部４ｂが形成されていて、この部材が容器として組み込まれたとき櫛部３との相互間でエアーを通すための通路７を形成する。
凹部４ｂは狭い幅を有するものであり、櫛部３の装着に際して該櫛部３が中間部材４に強固に密着したとしてもそれが簡単に変形するようなことはなくこれによって形成される通路７にて安定した通気（吸気）が行なえる。
【００１８】
通路８に関しては内容器１の開口部において凹部４ｂと同様の狭い幅、例えば２〜４mm程度の幅を有する凹部８ａを設け、かかる凹部８ａが容器の組み込みに際して簡単に変形することがなく通路８にて安定した通気を行なうことを可能とする例を示したが、これは外容器２に設けることもできるものであり、本発明においてはとくに限定されるものではない。
上記のような狭幅の凹部８ａを設けておくことにより、内容器１の天面部（上端面）の加工に際してその部位が簡単に変形したりゆがんだりするようなことはなく、安定した加工が可能となり、シール性の向上を図ることができる。
【００１９】
本発明に従う二重容器においてその胴部を把持して図１の仮想線に示す如く外圧を加えると、第１のチェック弁５を経て内容物が押し出され、通路ｒを経て櫛歯３ａの開口３ｂから内容物が排出される。
【００２０】
このとき、容器本体は縮減状態にあるが、かかる外圧を取り除くと貫通孔３ｃから空気が流入し、その空気は、通路７、通路８を経て内容器１と外容器２の間に導入されるため容器本体は外圧を付加する前の外観形状に復原され、この動作を複数回にわたり継続することにより、容器内の内容物は櫛部３の歯先から効率よく排出されることになる。
【００２１】
本発明においては、第１のチェック弁５、第２のチェック弁６は中間部材４から分離できるものであるので、他の容器への転用が可能であり、部品の共用化を図ることができるだけでなく、例えば、長期の使用において弁の作動不良が起きた場合などその部材のみの取り替えるだけで容器の使用が可能になる。
【００２２】
図7は、内容器１のみを示したものである。この内容器１をレフィル容器とすることで、内容物を使い切った場合に、内容器１を交換するだけで外容器２、櫛部３をそのまま継続して使用することができ、外容器２や櫛部３を無駄に廃棄することもないので、資源の有効利用を図り得る。
【００２３】
内容器１をレフィル容器とする場合、その開口部分２ａを密閉する栓としては、アタッチメントタイプの密閉栓が適用できる。
【００２４】
本発明においては、櫛部３を外容器２に気密状態で取り付けられる蓋部とこの蓋部に着脱可能な櫛部材にて構成することもでき、この場合、櫛部材に替えて例えばノズル部材を装着して内容物を排出することもできる。
【００２５】
【発明の効果】
本発明によれば、中間部材を別途設け、この部材に取り外し、取り付けの可能なチェック弁を組み込むようにしたので、他の容器への転用が可能であり、容器の製造効率を高めることができるとともに、製造コストの削減が可能になる。
また、本発明によれば、中間部材、内容器に変形しにくい狭幅の凹部を設け、櫛部との組合せに形成される通路を通して空気を取り入れるようにしたので、安定した通気（吸気）が可能であり内容物を効率的に排出できる。
さらに、内容器に設けた空気流通用の通路を形成する凹部はとくに狭幅になるので剛性の確保が可能であり、内容器の天面部を加工する際、加工部位が簡単に変形することがなく精度の高い加工が行なえる。
【図面の簡単な説明】
【図１】  本発明に従う櫛付き二重容器の構成説明図である。
【図２】  櫛部の要部を拡大して示した図である。
【図３】  図１に示した容器の要部を拡大して示した図である。
【図４】  第１のチェック弁の平面を示した図である。
【図５】  第２のチェック弁の平面を示した図である。
【図６】  中間部材の平面を示した図である。
【図７】  内容器を示した図である。
【符号の説明】
１  内容器
１ａ開口部分
２  外容器
２ａ開口部分
３  櫛部
３ａ歯
３ｂ開口
３ｃ貫通孔
４  中間部材
４ａ開口
４ｂ凹部
５  第１のチェック弁
６  第２のチェック弁
７  通路
８  通路
９  固定補助部材
M  内容物
ｒ  通路
ｔ  環状凸部
【図１】
0004532703.tif 000002
【図２】
0004532703.tif 000003
【図３】
0004532703.tif 000004
【図４】
0004532703.tif 000005
【図５】
0004532703.tif 000006
【図６】
0004532703.tif 000007
【図７】
0004532703.tif 000008